(57)【要約】【課題】  遊技媒体の回収装置・洗浄装置・補給装置等の各装置並びに紙幣搬送装置のスタッカの維持管理を一ヶ所で行うことができ、しかも、回収装置・洗浄装置・補給装置を筐体内に一括して配設することにより、装置全体の移動も簡単で互換性に富んだ、遊技媒体の回収・洗浄・補給システムを提供するものである。【解決手段】  遊技機島から回収された遊技媒体を再度遊技機島に補給するための遊技媒体の回収・洗浄・補給装置を収納した筐体を前記遊技機島の端部上部に配設された紙幤搬送装置のスタッカと同一端部に配設したものである。【選択図】  図１
2006034910.tif 000002
【特許請求の範囲】
【請求項１】
遊技機島から回収された遊技媒体を再度遊技機島に補給するための遊技媒体の回収・洗浄・補給装置を収納した筐体を前記遊技機島の端部上部に配設された紙幣搬送装置のスタッカと同一端部に配設した
ことを特徴とする遊技媒体の回収・洗浄・補給システム。
【請求項２】
請求項１項に記載の回収・洗浄・補給システムにおいて、
前記回収・洗浄・補給システムは、
回収リフタと回収タンクと回収コンベアを有する回収装置と、
洗浄機と脱水コンベアと脱水ローラユニットを有する洗浄装置と、
補給リフタと補給タンクと補給コンベアを有する補給装置とを備え、
前記筐体の両側板側に回収リフタと補給リフタを各々立設するとともに、その間に前記回収タンクと回収コンベア及び洗浄装置並びに補給タンクと補給コンベアを配設した
ことを特徴とする遊技媒体の回収・洗浄・補給システム。
【請求項３】
請求項１項乃至請求項２項の何れかに記載の遊技媒体の回収・洗浄・補給システムにおいて、
前記筐体内部に筐体の上板と回収リフタと補給リフタと回収タンク並びに補給タンクによって画成されたスタッカの収納空間を形成するとともに、
前記遊技機島端部上部に配設された紙幣搬送装置のスタッカを筐体の背板を貫通させて該収納空間に収納した
ことを特徴とする遊技媒体の回収・洗浄・補給システム。
【請求項４】
請求項１項乃至請求項３項の何れかに記載の遊技媒体の回収・洗浄・補給システムにおいて、
前記スタッカを収納空間の前部に配置し、前記スタッカと筐体の背板との間に空隔を画成するとともに
前記空隔内に補助補給タンクを配設した
ことを特徴とする、遊技媒体の回収・洗浄・補給システム。
【請求項５】
請求項１項乃至請求項３項の何れかに記載の遊技媒体の回収・洗浄・補給システムにおいて、
前記スタッカと筐体の背板との間に画成された空隔にスタッカの制御機器を配設した
ことを特徴とする、遊技媒体の回収・洗浄・補給システム。
【請求項６】
請求項１項乃至請求項５項の何れかに記載の遊技媒体の回収・洗浄・補給システムにおいて、
前記回収タンクと補給タンクを開閉可能に連通させた
ことを特徴とする、遊技媒体の回収・洗浄・補給システム。
【発明の詳細な説明】
【技術分野】
【０００１】  本発明は、遊技機を複数設置した遊技機島に供給された遊技媒体を回収し、洗浄し、そして再度遊技機島に補給するための遊技媒体の回収・洗浄・補給システムに関する。
【背景技術】
【０００２】  一般的に、遊技場には、多数の遊技機（例えばメダルを遊技媒体として使用してゲームを行うスロットマシン）を並列に配設した遊技機島と呼ばれている島が複数設置されている。これらの遊技機島には、ゲームを進行させるためのメダルが常時循環されており、メダルが不足すると遊技場の適宜の場所、例えば遊技場の一角に設けられる管理機械室の地下等に設けられている大型の貯蔵タンクに貯蔵されているメダルを供給している。【０００３】  しかしながら、上述した方法では、遊技場内に大型の貯蔵タンクを設置するための空間を必要とし、しかもその貯蔵タンクの形状が遊技場毎に一定ではないため、各遊技場に合致するように特別に製造しなければならず不経済であった。また、遊技機島でメダルが不足したときに補給経路を介して貯蔵タンクから遊技機島内に設けられている溜タンクに補給されるようになっているが、遊技機島におけるメダル不足検出器からの信号が届いてから補給するような構造であるため、貯蔵タンクから遊技機島に所定量のメダルが補給されるまでに時間がかかり、近年、主流となっている短時間に多量の景品球を排出する遊技機が設置されているような場合には、遊技機への景品用メダルの補給が間に合わなくなると言うトラブルが生ずることもあった。更に、供給されるメダルは、プレーヤに不快感を与えないように常時、研磨、洗浄させておく必要があり、前述のように一括してメダルを貯蔵する形式では、このような処置実施しておくことが比較的困難であった。【０００４】  このため、それらの問題点を解決するために、特許第２８８１３５８号（特開平６−８６８６４号）では、複数のコインゲーム機１１（先行技術の図中符号を示す、以下、同様）とコイン交換機２０との各上部に渡した配送コンベア３０と、配送コンベア３０の終端や各コインゲーム機１１からそれぞれ下方に延ばした複数のオーバフロー通路４０〜４２と、各オーバフロー通路４０〜４２の末端を接続しつつ島下部に渡した回収コンベア４３と、回収コンベア４３の終端側に配したコインタンク４４と、該コインタンク４４内に貯溜されたコインを配送コンベア３０の始端側に揚送するリフタ装置４５からなるコイン循環経路１の回収コンベア４３の終端側にコイン洗浄機７０を含むコイン処理装置５０を介装させている構造が開示されている。【０００５】  しかしながら、上記した従来の技術は、配送コンベア３０と複数のオーバフロー通路４０〜４２と回収コンベア４３とリフタ装置４５とコイン洗浄機７０を含むコイン処理装置５０とをコインゲーム機島１０の各部位に配置させた構造のため、各装置、特にリフタ装置４５、コイン洗浄機７０を含むコイン処理装置５０、並びに紙幣搬送機２６のスタッカ装置の維持管理は、各々配置した場所で行う必要があり、管理工数が多くなるばかりか、遊技者の間を頻繁に通行することになり、遊技者に不快感を与える場合があった。【０００６】  この出願の発明に関連する先行技術文献としては次のものがある。
【特許文献１】特許第２８８１３５８号（特開平６−８６８６４号）
【非特許文献１】  なし
【発明の開示】
【発明が解決しようとする課題】
【０００７】  本発明は、上記の従来の技術が有する問題を解決するためになされたものであり、その目的は、遊技媒体の回収装置・洗浄装置・補給装置等の各装置並びに紙幣搬送装置のスタッカの維持管理を一ヶ所で行うことができ、しかも、回収装置・洗浄装置・補給装置を筐体内に一括して配設することにより、装置全体の移動も簡単で互換性に富んだ、遊技媒体の回収・洗浄・補給システムを提供するものである。
【課題を解決するための手段】
【０００８】  上記課題を解決するため、本発明においては、遊技機島から回収された遊技媒体を再度遊技機島に補給するための遊技媒体の回収・洗浄・補給装置を収納した筐体を前記遊技機島の端部上部に配設された紙幣搬送装置のスタッカと同一端部に配設したものである。【０００９】  上記のように、紙幣搬送装置を介して台間遊技媒体貸機に投入された紙幣を回収保管するスタッカと、回収装置・洗浄装置・補給装置を収納した筐体とを遊技機島の同一端部（終端）に配置することによって、遊技媒体の回収装置・洗浄装置・補給装置等の各装置並びに紙幣搬送装置のスタッカの維持管理を一ヶ所で行うことができ、しかも、装置全体の移動も簡単で互換性に富んだ、遊技媒体の回収・洗浄・補給システムが得られる。【００１０】  次の発明は、回収リフタと回収タンクと回収コンベアを有する回収装置と、洗浄機と脱水コンベアと脱水ローラユニットを有する洗浄装置と、補給リフタと補給タンクと補給コンベアを有する補給装置とを備え、前記筐体の両側板側に回収リフタと補給リフタを各々立設するとともに、その間に前記回収タンクと回収コンベア及び洗浄装置並びに補給タンクと補給コンベアを配設したものである。【００１１】  このことにより、各装置を筐体の内部に収納することによってシステム全体のコンパクトが可能となり、かつシステム全体を一括して取り扱うことにより維持管理が容易で、システムの汎用性が向上する。【００１２】  次の発明は、前記筐体内部に筐体の上板と回収リフタと補給リフタと回収タンク並びに補給タンクによって画成されたスタッカの収納空間を形成するとともに、前記遊技機島端部上部に配設された紙幣搬送装置のスタッカを筐体の背板を貫通させて該収納空間に収納したものである。【００１３】  このことにより、遊技媒体の回収・洗浄・補給システムとスタッカの維持管理を遊技機島の同一端部でおこなうことが可能となるばかりか、スタッカをスタッカ自体の扉と筐体の扉で２重に保護することができ、より不正防止効果を高めることができる。【００１４】  次の発明は、前記スタッカを収納空間の前部に配置し、前記スタッカと筐体の背板との間に空隔を画成するとともに前記空隔内に補助補給タンクを配設したものである。【００１５】このことにより、遊技媒体の回収・洗浄・補給システム全体の形状を変更することなく遊技媒体の貯溜量を増加させることが可能となり、遊技媒体不足を防止することができる。【００１６】  次の発明は、前記スタッカと筐体の背板との間に画成された空隔にスタッカの制御機器を配設したものである。【００１７】  このことにより、不正防止とともにスタッカの小型化が可能で装置全体の省スペース化が図れる。【００１８】  次の発明は、前記回収タンクと補給タンクを開閉可能に連通させたものである。【００１９】  このことにより、遊技媒体が急に不足した場合に、回収タンクと補給タンクを連通させ、回収タンクから直接補給タンクに遊技媒体を流出させることによって速やかに遊技媒体の不足状態を解消することができる。
【発明の効果】
【００２０】  以上のように、本発明によれば、遊技機島から回収された遊技媒体を再度遊技機島に補給するための遊技媒体の回収・洗浄・補給装置を収納した筐体を前記遊技機島の端部上部に配設された紙幣搬送装置のスタッカと同一端部に配設することにより、遊技媒体の回収装置・洗浄装置・補給装置等の各装置並びに紙幣搬送装置のスタッカの維持管理を一ヶ所で行うことができ、しかも、装置全体の移動も簡単で互換性に富んだ、遊技媒体の回収・洗浄・補給システムが得られる。
【発明を実施するための最良の形態】
【００２１】  以下、本発明を実施するための最良の形態を、図面に基づいて説明する。図１は、本発明の遊技媒体の回収・洗浄・補給システムを示した前扉を除いた状態の正面図である。図２は、本発明の遊技媒体の回収・洗浄・補給システムを示した側面図である。図３は、本発明の遊技媒体の回収・洗浄・補給システムを示した上面図である。図４は、遊技媒体の流れを示したフローチャートである。【００２２】  本発明である遊技媒体の回収・洗浄・補給システムは、遊技機島１００の端部（終端）に形成されたツマ板１１０に当接して配設されている。この遊技機島１００の上部には、前述のツマ板１１０から外方に貫通した部分にスタッカ１３０を設けた紙幣搬送装置１２０が配設されている。このスタッカ１３０の内部には、紙幣搬送装置１２０で搬送された紙幣が積層されている。更に、この遊技機島１００には、図示しないが遊技機が並設され、この遊技機の上方には、遊技機（図示しない）と台間遊技媒体貸機（図示しない）に遊技媒体を補給するための補給コンベア１４０が配設されている。また、下方には、遊技機（図示しない）と台間遊技媒体貸機（図示しない）等から回収された遊技媒体を回収する回収コンベア１５０が設けられている。【００２３】  遊技媒体の回収・洗浄・補給システムは、縦長の筐体１０と回収装置２０と洗浄装置３０並びに補給装置４０により構成されている。これらの回収装置２０と洗浄装置３０並びに補給装置４０は、前述の筐体１０の内部に配設されている。【００２４】  筐体１０は、上板１１と底板１２と背板１３と左右の側板１４と１５とを備え、前方（遊技機島１００の長手方向）が開口され、その開口を前扉（図示しない）で開閉している。そして、背板１３には、縦方向の中心線上に、紙幣搬送装置１３０を通す貫通孔（図示しない）と補給コンベア１４０の連通する補給管４４１の挿通孔（図示しない）並びに回収コンベア１５０から挿入されたダクト１５１の嵌合孔（図示しない）等が形成されている。【００２５】  回収装置２０は、回収リフタ２１と回収タンク２２並びに回収タンクコンベア２３とを備えている。回収リフタ２１は、筐体１０の一方（図１の紙面に対して左側）の側板１４に沿って略筐体１０の高さに立設されている。この回収リフタ２１の下部には、後述する補給リフタ４１と同様に、駆動モータを有する回転部が設けられており、上端には従動回転部が設けられている。そして、この間に搬送板を備えた無端ベルトが巻架されている。【００２６】  回収タンク２２は、遊技機島１００の上部に配設された紙幣搬送装置１２０の前端に設けられたスタッカ１３０の下側に配置されている。そして、上方に開放された遊技媒体の導入口（図示しない）と下方に開放された導入口より小さい排出口（図示しない）が形成されている。【００２７】  回収タンクコンベア２３は、水平ベルトコンベアで構成されている。そして、前述の回収タンク２２の排出口（図示しない）から排出された遊技媒体を、連絡ダクト３１１を介して、順次洗浄装置３０の遊技媒体洗浄機３１に搬送される。この遊技媒体の搬送量は、遊技媒体洗浄機３１の処理容量に合わせて回収タンクコンベア２３の駆動時間を調整することによって達成される。【０���２８】  洗浄装置３０は、回収タンクコンベア２３の下方に配置された一般的なブラシ付ドラム式の遊技媒体洗浄機３１と遊技媒体洗浄機３１の下方に配置された脱水コンベア３２を有する一般的な脱水ローラユニット３３とを備えている。そして遊技媒体は、遊技媒体洗浄機３１からダクト３１２、脱水コンベア３２、脱水ローラユニット３３と搬送され、洗浄された遊技媒体は、補給装置４０に送り込まれる。【００２９】  補給装置４０は、常時は、洗浄された遊技媒体を取り扱っているもので、図２に示すように、補給リフタ４１と補給タンク４２並びに補給タンクコンベア４３とを備えている。補給リフタ４１は、筐体１０の一方（図１の紙面に対して右側）の側板１５に沿って略筐体１０の高さに立設されている。この補給リフタ４１の下部には、駆動モータ４１１を有する回転部４１２が設けられており、上端には従動回転部４１３が設けられている。そして、この間に搬送板４１４を備えた無端ベルト４１５が巻架されている。更に、この補給リフタ４１の上部裏面には、補給遊技媒体の振り分けユニット４４が配設されており、補給リフタ４１で搬送されてきた遊技媒体を補給タンク４２に貯溜するダクト４４２の経路と補給コンベア１４０からの補給指令を受けて遊技媒体を補給する補給管４４１の経路に振り分けている。【００３０】  補給タンク４２は、遊技機島１００の上部に配設された紙幣搬送装置１２０の前端に設けられたスタッカ１３０の下側に配置された回収タンク２２と可動可能な仕切部材６０を介して隣設されている。そして、上方に開放された遊技媒体の導入口（図示しない）と下方に開放された導入口より小さい排出口（図示しない）が形成されている。そして、常時は、洗浄された遊技媒体を貯溜している。【００３１】  補給タンクコンベア４３は、水平ベルトコンベアで構成されている。そして、補給コンベア１４０からの補給指令を受けると前述の補給タンク４２の排出口４２２から排出された遊技媒体を搬送し、連絡ダクト４５を介して、順次、補給リフタ４１に送り込み、補給遊技媒体の振り分けユニット４４と補給コンベア１４０を介して遊技機島１００に補給する。この遊技媒体の搬送量は、補給量に合わせて補給タンクコンベア４３の駆動時間を調整することによって達成される。【００３２】  図４は、遊技媒体の流れを示したフローチャートである。この図に基づいて回収・洗浄・補給システムにおける遊技媒体の流れを説明する。
ｆ１：遊技機島１００で回収された遊技媒体は、回収コンベア１５０で回収装置２０に回収される。（図１、図２の矢印ａで示す）
ｆ２：回収装置２０の回収リフタ２１の下部に搬送された遊技媒体は、無端コンベアによって回収リフタ２１の上部に搬送され、そこから回収タンク２２に落下する。（図１、の矢印ｂで示す）
ｆ３：回収タンク２１に貯溜（柚木媒体例えば、メダルならば略２０００枚）された遊技媒体は、順次、回収タンクコンベア２３に搬送される。
ｆ４：回収タンクコンベア２３に搬送された遊技媒体は、遊技媒体洗浄機３１に送られ、洗浄される。（図１、の矢印ｃで示す）この遊技媒体洗浄機３１の洗浄能力はメダル換算で略５００００枚／時間である。
ｆ５：この遊技媒体洗浄機３１の洗浄能力はメダル換算で略５００００枚／時間であり、湯洗い、ブラシ付ドラムタイプである。
ｆ６：次に、遊技媒体洗浄機３１から排出された遊技媒体は、脱水コンベア３２により脱水ローラユニット３３に搬送される。（図１、の矢印ｄで示す）
ｆ７：脱水ローラユニット３３で脱水された遊技媒体は、筐体１０の反対側の側板１５に沿って立設された補給リフタ４１の下部に設けられた投入ダクト４１６に投入され、（図１、の矢印ｅで示す）そこから無端ベルと４１５に設けられた搬送板４１４で上部に揚送される。
ｆ８：補給リフタ４１によって揚送された遊技媒体は、補給リフト４１の上部に隣設されている遊技媒体の振り分けユニット４４に搬送される。
ｆ９：補給メダル振り分けユニット４４は、内部で補給タンク４２に遊技媒体の補給タンク４２への搬送経路であるダクト４４２（図２、の矢印ｆで示す）と遊技機島１００に配設された補給コンベアに遊技媒体を補給する補給管４４１の経路（図２、の矢印ｇで示す）に振り分ける構成を有する。（従来一般的に用いられている構成を踏襲する。）特に、遊技機島１００から補給の指令が無い場合には、遊技媒体を補給タンク４２に搬送する。
ｆ１０：補給タンク４２には、洗浄された遊技媒体が略２０、０００枚を限度として貯溜されている。
ｆ１１：遊技機島１００側から遊技媒体の補給を要求する指令が発せられると、補給タンクコンベア４３が駆動して、補給タンク４２内の遊技媒体を補給リフタ４１に通ずるダクト４５に流し込む。（図１、の矢印ｈで示す）
ｆ１２：補給リフタ４１に送られた遊技媒体は、補給リフタ４１に隣接された遊技媒体の振り分けユニット４４の搬送される。
ｆ１３：この時、遊技媒体の振り分けユニット４４の経路は、遊技機島１００側から遊技媒体の補給を要求する指令が発せられると同時に補給コンベアに遊技媒体を補給する補給管４４１の経路に振り分けられていて、その経路を介して、遊技媒体が遊技機島１００の補給コンベア１４０に補給される。（図２、の矢印ｇで示す）
ｆ１４：補給コンベア１４０に補給された遊技媒体は、各台間遊技媒体貸機に遊技媒体を補給する。
ｆ１５：各台間遊技媒体貸機は、余剰となった遊技媒体を回収コンベア１５０に流下させ、回収コンベア１５０で回収した遊技媒体を回収し、回収リフタ２１の送り込む。（図１、図２の矢印ａで示す）【００３３】  しかして、本発明では、筐体１０の上板１１と回収リフタ２１の上方部分と補給リフタ４１の上方部分と回収タンク２２並びに補給タンク４２の開放側とに囲まれた紙幣搬送装置１２０の先端の配設されたスタッカ１３０の収納空間５０が画成される。【００３４】  この収納空間５０には、筐体１０の背板１３に形成された貫通孔（図示しない）から紙幣搬送装置１２０が挿入され、先端にスタッカ１３０を取付けている。このスタッカ１３０は、前面が筐体１０の前扉（図示しない）に対向するように収納空間５０の前部に配設され、スタッカ１２０と背板１３との間に空隔５１を画成している。【００３５】  このように、遊技機島から回収された遊技媒体を再度遊技機島に補給するための遊技媒体の回収・洗浄・補給装置を収納した筐体を遊技機島の端部上部に配設された紙幣搬送装置のスタッカと同一端部に配設することにより、遊技媒体の回収装置・洗浄装置・補給装置等の各装置並びに紙幣搬送装置のスタッカの維持管理を一ヶ所で行うことができ、しかも、装置全体の移動も簡単で互換性に富んだ、遊技媒体の回収・洗浄・補給システムが得られ、しかもスタッカ１３０と背板１３との間に画成した空隔５１内に補助補給タンク４２１やスタッカ１３０の制御機器（図示しない）を配設することによりよりそれらの管理維持の簡易化や省スペース化が期待できる。【００３６】更に、前記回収タンク２２と補給タンク４２を仕切部材６０で開閉可能に連通させて隣設しているので、緊急時（洗浄装置３０の故障や補給要求が多くなり補給タンク４２の貯溜量が激減したとき）には、この仕切部材６０を手で開放して回収タンク２２に貯溜されている遊技媒体を補給リフタ４１の供給する（図１矢印Ｒ）ことにより、遊技機島１００が遊技媒体不足によって停止するのを回避することができる。
【図面の簡単な説明】
【００３７】
【図１】本発明の遊技媒体の回収・洗浄・補給システムを示した前扉を除いた状態の正面図である。
【図２】本発明の遊技媒体の回収・洗浄・補給システムを示した側面図である。
【図３】本発明の遊技媒体の回収・洗浄・補給システムを示した上面図である。
【図４】遊技媒体の流れを示したフローチャートである。
【符号の説明】
【００３６】１００…遊技機島
１１０…ツマ板
１２０…紙幣搬送装置
１３０…スタッカ
１４０…補給コンベア
１５０…回収コンベア
１０…筐体
１１…上板
１２…底板
１３…背板
１４…側板（左側）
１５…側板（右側）
２０…回収装置
２１…回収リフタ
２２…回収タンク
２３…回収タンクコンベア
３０…洗浄装置
３１…メダル洗浄機
３２…脱水コンベア
３３…脱水ローラユニット
４０…補給装置
４１…補給リフタ
４２…補給タンク
４３…補給タンクコンベア
４４…遊技媒体の振り分けユニット
５０…収納空間
５１…空隔
６０…仕切部材
【図１】
2006034910.tif 000003
【図２】
2006034910.tif 000004
【図３】
2006034910.tif 000005
【図４】
2006034910.tif 000006